(57)【要約】【課題】投影部材へ画像を投影することによって車両の前景に虚像を重畳表示させる際に、表示項目の種類の異なる複数の画像を共通の投影部材へ投影して車両の前景にそれぞれの虚像を複合的に表示させる場合であっても、それぞれの画像の意図する内容がドライバに伝わり難くなることを抑える。【解決手段】ＨＵＤ装置２２０を制御するＨＣＵ２０であって、表示器に描画する画像の内容を定めるための内容決定用情報を取得する決定用情報取得部２０１と、決定用情報取得部２０１で取得する内容決定用情報に応じて表示器に、動的物標グループ、静的物標グループ、及び路面グループを含む複数のグループに分類される複数グループの画像を、グループ別にレイヤを分けて１つの表示器に描画する描画制御部２１１とを備え、描画制御部２１１は、表示器に画像を描画するレイヤ別にその画像の視認性を異ならせるように描画する。【選択図】図３
2020001589.tif 000002
【特許請求の範囲】
【請求項１】
車両で用いられ、表示器に描画する画像を投影部材へ投影することによって前記車両の前景に虚像を重畳表示させるヘッドアップディスプレイ装置を制御する車両用表示制御装置であって、
前記表示器に描画する画像の内容を定めるための情報である内容決定用情報を取得する決定用情報取得部（２０１）と、
前記決定用情報取得部で取得する前記内容決定用情報に応じて、前記表示器に、表示項目の種別単位で、動的物標についての画像のグループ、静的物標についての画像のグループ、及び路面についての画像のグループを含む複数のグループに分類される複数グループの画像を、前記グループ別にレイヤを分けて１つの表示器に描画する描画制御部（２１１）とを備え、
前記描画制御部は、前記表示器に画像を描画する前記レイヤ別にその画像の視認性を異ならせるよう描画する車両用表示制御装置。
【請求項２】
前記描画制御部は、前記レイヤを重ねる順番によって、前記表示器に前記画像を描画する前記レイヤ別にその画像の視認性を異ならせる請求項１に記載の車両用表示制御装置。
【請求項３】
前記描画制御部は、視認性を高くする前記画像を描画する前記レイヤほど上層に重ねる請求項２に記載の車両用表示制御装置。
【請求項４】
前記描画制御部は、前記レイヤの透過率を異ならせることによって、前記表示器に前記画像を描画する前記レイヤ別にその画像の視認性を異ならせる請求項１〜３のいずれか１項に記載の車両用表示制御装置。
【請求項５】
前記描画制御部は、視認性を高くする前記画像を描画する前記レイヤほど他の前記レイヤに対して透過率を相対的に高くする請求項４に記載の車両用表示制御装置。
【請求項６】
前記描画制御部は、路面についての画像のグループよりも静的物標についての画像のグループ及び動的物標についての画像のグループの視認性が高くなるように描画するとともに、静的物標についての画像のグループよりも動的物標についての画像のグループの視認性が高くなるように描画する請求項１に記載の車両用表示制御装置。
【請求項７】
前記描画制御部は、前記レイヤ別の前記画像の表示位置が重なる場合には、各レイヤに描画される前記画像を合成する処理を行う一方、前記レイヤ別の前記画像の表示位置が重ならない場合には、各レイヤに描画される前記画像を合成する処理を行わない請求項１〜６のいずれか１項に記載の車両用表示制御装置。
【請求項８】
前記表示項目の種別単位で分類される複数グループの前記画像は、画像に含まれる情報の緊急性が警告若しくは注意喚起に関する前記表示項目よりも低い、通知に関する前記表示項目が、前記動的物標についての画像のグループ、前記静的物標についての画像のグループ、及び前記路面についての画像のグループに細分化して分類される一方、警告若しくは注意喚起に関する前記表示項目は、前記動的物標についての画像のグループ、前記静的物標についての画像のグループ、及び前記路面についての画像のグループに細分化して分類されない請求項１〜７のいずれか１項に記載の車両用表示制御装置。
【請求項９】
車両で用いられ、表示器に描画する画像を投影部材へ投影することによって前記車両の前景に虚像を重畳表示させるヘッドアップディスプレイ装置を制御する車両用表示制御方法であって、
前記表示器に描画する画像の内容を定めるための情報である内容決定用情報を取得し、
取得する前記内容決定用情報に応じて、前記表示器に、表示項目の種別単位で、動的物標についての画像のグループ、静的物標についての画像のグループ、及び路面についての画像のグループを含む複数のグループに分類される複数グループの画像を、前記グループ別にレイヤを分けて１つの表示器に描画するとともに、前記表示器に画像を描画する前記レイヤ別にその画像の視認性を異ならせるよう描画する車両用表示制御方法。
【請求項１０】
コンピュータを、
車両で用いられ、表示器に描画する画像を投影部材へ投影することによって前記車両の前景に虚像を重畳表示させるヘッドアップディスプレイ装置の前記表示器に描画する画像の内容を定めるための情報である内容決定用情報を取得する決定用情報取得部（２０１）と、
前記決定用情報取得部で取得する前記内容決定用情報に応じて、前記表示器に、表示項目の種別単位で、動的物標についての画像のグループ、静的物標についての画像のグループ、及び路面についての画像のグループを含む複数のグループに分類される複数グループの画像を、前記グループ別にレイヤを分けて１つの表示器に描画するとともに、前記表示器に画像を描画する前記レイヤ別にその画像の視認性を異ならせるよう描画する描画制御部（２１１）として機能させるための制御プログラム。
【発明の詳細な説明】
【技術分野】
【０００１】
本開示は、車両用表示制御装置、車両用表示制御方法、及び制御プログラムに関するものである。
【背景技術】
【０００２】
従来、ウインドシールド等の投影部材へ画像を投影することによって車両の前景に虚像を重畳表示させるヘッドアップディスプレイ（以下、ＨＵＤ）が知られている。例えば特許文献１には、走行案内情報としての案内矢印といった情報伝達子を交差点の道路に重なるようにヘッドアップディスプレイで表示させる技術が開示されている。また、特許文献１には、車両前方に存在する障害物と情報伝達子が重なってしまう場合に、情報伝達子を表示させる位置をずらしたり、情報伝達子の表示のうちの障害物と重なる部分を消したりする技術が開示されている。
【先行技術文献】
【特許文献】
【０００３】
【特許文献１】特許第４０８５９２８号公報
【発明の概要】
【発明が解決しようとする課題】
【０００４】
しかしながら、特許文献１に開示の技術では、車両前方に存在する障害物と情報伝達子の表示位置が重なることを想定しているものの、複数種類の情報伝達子の表示位置が重なる場合は想定していない。よって、特許文献１に開示の技術では、複数種類の情報伝達子の表示位置が重なる場合にそれぞれの画像が混ざり合ってそれぞれの区別がつき難くなり、それぞれの表示の意図する内容がドライバに伝わり難くなるおそれがある。
【０００５】
この開示のひとつの目的は、投影部材へ画像を投影することによって車両の前景に虚像を重畳表示させる際に、表示項目の種類の異なる複数の画像を共通の投影部材へ投影して車両の前景にそれぞれの虚像を複合的に表示させる場合であっても、それぞれの画像の意図する内容がドライバに伝わり難くなることを抑える車両用表示制御装置、車両用表示制御方法、及び制御プログラムを提供することにある。
【課題を解決するための手段】
【０００６】
上記目的は独立請求項に記載の特徴の組み合わせにより達成され、また、下位請求項は、開示の更なる有利な具体例を規定する。特許請求の範囲に記載した括弧内の符号は、ひとつの態様として後述する実施形態に記載の具体的手段との対応関係を示すものであって、本開示の技術的範囲を限定するものではない。
【０００７】
上記目的を達成するために、本開示の車両用表示制御装置は、車両で用いられ、表示器に描画する画像を投影部材へ投影することによって車両の前景に虚像を重畳表示させるヘッドアップディスプレイ装置を制御する車両用表示制御装置であって、表示器に描画する画像の内容を定めるための情報である内容決定用情報を取得する決定用情報取得部（２０１）と、決定用情報取得部で取得する内容決定用情報に応じて、表示器に、表示項目の種別単位で、動的物標についての画像のグループ、静的物標についての画像のグループ、及び路面についての画像のグループを含む複数のグループに分類される複数グループの画像を、グループ別にレイヤを分けて１つの表示器に描画する描画制御部（２１１）とを備え、描画制御部は、表示器に画像を描画するレイヤ別にその画像の視認性を異ならせるよう描画する。
【０００８】
上記目的を達成するために、本開示の車両用表示制御方法は、車両で用いられ、表示器に描画する画像を投影部材へ投影することによって車両の前景に虚像を重畳表示させるヘッドアップディスプレイ装置を制御する車両用表示制御方法であって、表示器に描画する画像の内容を定めるための情報である内容決定用情報を取得し、取得する内容決定用情報に応じて、表示器に、表示項目の種別単位で、動的物標についての画像のグループ、静的物標についての画像のグループ、及び路面についての画像のグループを含む複数のグループに分類される複数グループの画像を、グループ別にレイヤを分けて１つの表示器に描画するとともに、表示器に画像を描画するレイヤ別にその画像の視認性を異ならせるよう描画する。
【０００９】
上記目的を達成するために、本開示の制御プログラムは、コンピュータを、車両で用いられ、表示器に描画する画像を投影部材へ投影することによって車両の前景に虚像を重畳表示させるヘッドアップディスプレイ装置の表示器に描画する画像の内容を定めるための情報である内容決定用情報を取得する決定用情報取得部（２０１）と、決定用情報取得部で取得する内容決定用情報に応じて、表示器に、表示項目の種別単位で、動的物標についての画像のグループ、静的物標についての画像のグループ、及び路面についての画像のグループを含む複数のグループに分類される複数グループの画像を、グループ別にレイヤを分けて１つの表示器に描画するとともに、表示器に画像を描画するレイヤ別にその画像の視認性を異ならせるよう描画する描画制御部（２１１）として機能させる。
【００１０】
これらによれば、表示項目の種別単位で複数のグループに分類される、動的物標についての画像のグループ、静的物標についての画像のグループ、及び路面についての画像のグループを少なくとも含む複数グループの画像を、グループ別にレイヤを分けて、レイヤ別にその画像の視認性を異ならせるよう１つの表示器に描画する。よって、表示項目の種類の異なる複数の画像を共通の投影部材へ投影して車両の前景にそれぞれの虚像を複合的に表示させる場合であっても、少なくとも動的物標についての画像のグループ、静的物標についての画像のグループ、及び路面についての画像のグループについては、ドライバがそれぞれを区別して認識することが可能になる。動的物標についての画像のグループ、静的物標についての画像のグループ、及び路面についての画像のグループという分類は、車両の前景への重畳表示ならではの、車両の前方空間の観点を加えたグループ分けである。従って、少なくともこれらの車両の前方空間の観点を加えたグループのそれぞれをドライバが区別して認識することが可能になることにより、重畳表示におけるそれぞれの画像の意図する内容をドライバが認識し易くなる。その結果、投影部材へ画像を投影することによって車両の前景に虚像を重畳表示させる際に、表示項目の種類の異なる複数の画像を共通の投影部材へ投影して車両の前景にそれぞれの虚像を複合的に表示させる場合であっても、それぞれの画像の意図する内容がドライバに伝わり難くなることを抑えることが可能になる。
【図面の簡単な説明】
【００１１】
【図１】車両システム１の概略的な構成の一例を示す図である。
【図２】ＨＵＤ装置２２０の車両への搭載例を示す図である。
【図３】ＨＣＵ２０の概略的な構成の一例を示す図である。
【図４】表示項目の種別の一例を示す図である。
【図５】表示項目のグループ分けの一例を示す図である。
【図６】重畳表示の一例を示す図である。
【図７】重畳表示の一例を示す図である。
【図８】各レイヤに描画される画像を合成する合成処理の一例を説明するための図である。
【図９】ＨＣＵ２０での虚像表示制御関連処理の流れの一例を示すフローチャートである。
【発明を実施するための形態】
【００１２】
図面を参照しながら、開示のための複数の実施形態を説明する。なお、説明の便宜上、複数の実施形態の間において、それまでの説明に用いた図に示した部分と同一の機能を有する部分については、同一の符号を付し、その説明を省略する場合がある。同一の符号を付した部分については、他の実施形態における説明を参照することができる。
【００１３】
（実施形態１）
＜車両システム１の概略構成＞
以下、本実施形態について図面を用いて説明する。車両システム１は、自動車といった路上を走行する車両で用いられるものである。車両システム１は、一例として、図１に示すように、ＨＭＩ（Human Machine Interface）システム２、ＡＤＡＳ（Advanced Driver Assistance Systems）ロケータ３、周辺監視センサ４、車両状態センサ５、車両制御ＥＣＵ６、ナビゲーション装置７、及び自動運転ＥＣＵ８を含んでいる。ＨＭＩシステム２、ＡＤＡＳロケータ３、周辺監視センサ４、車両状態センサ５、車両制御ＥＣＵ６、ナビゲーション装置７、及び自動運転ＥＣＵ８は、例えば車内ＬＡＮに接続されているものとする。
【００１４】
ＡＤＡＳロケータ３は、ＧＮＳＳ（Global Navigation Satellite System）受信機、及び慣性センサを備えている。ＧＮＳＳ受信機は、複数の人工衛星からの測位信号を受信する。慣性センサは、例えばジャイロセンサ及び加速度センサを備える。ＡＤＡＳロケータ３は、ＧＮＳＳ受信機で受信する測位信号と、慣性センサの計測結果とを組み合わせることにより、自車の車両位置を逐次測位する。なお、車両位置の測位には、自車に搭載された車速センサから逐次出力される検出結果から求めた走行距離等を用いる構成としてもよい。そして、測位した車両位置を車内ＬＡＮへ出力する。
【００１５】
ＡＤＡＳロケータ３は、地図データとして、道路形状及び構造物の特徴点の点群からなる三次元地図を格納する地図データベース（以下、地図ＤＢ）を備える構成としてもよい。ＡＤＡＳロケータ３は、この三次元地図を用いる場合、ＧＮＳＳ受信機を用いずに、この三次元地図と、道路形状及び構造物の特徴点の点群を検出するＬＩＤＡＲ（Light Detection and Ranging/Laser Imaging Detection and Ranging）等の周辺監視センサ４での検出結果とを用いて、自車の車両位置を特定する構成としてもよい。なお、この三次元地図の地図データは、通信モジュールを介して自車の外部から取得する構成としてもよい。
【００１６】
周辺監視センサ４は、自車の周辺環境を監視する自律センサである。一例として、周辺監視センサ４は、歩行者，人間以外の動物、自車以外の車両等の移動する動的物標、及び路上の落下物，ガードレール、縁石、及び樹木等の静止している静的物標といった自車周辺の障害物を検出する。他にも、自車周辺の走行区画線等の路面標示を検出する。周辺監視センサ４は、例えば、自車周囲の所定範囲を撮像する周辺監視カメラ、自車周囲の所定範囲に探査波を送信するミリ波レーダ、ソナー、ＬＩＤＡＲ等のセンサである。周辺監視カメラは、逐次撮像する撮像画像をセンシング情報として車内ＬＡＮへ逐次出力する。ソナー、ミリ波レーダ、ＬＩＤＡＲ等の探査波を送信するセンサは、検出対象によって反射された反射波を受信した場合に得られる受信信号に基づく走査結果をセンシング情報として車内ＬＡＮへ逐次出力する。
【００１７】
車両状態センサ５は、自車の各種状態を検出するためのセンサ群である。車両状態センサ５としては、自車の車速を検出する車速センサ，自車の操舵角を検出する操舵センサ，自車のアクセルペダルの開度を検出するアクセルポジションセンサ，自車のブレーキペダルの踏み込み量を検出するブレーキ踏力センサ等がある。車両状態センサ５は、検出するセンシング情報を車内ＬＡＮへ出力する。なお、車両状態センサ５で検出するセンシング情報は、自車に搭載されるＥＣＵを介して車内ＬＡＮへ出力される構成であってもよい。
【００１８】
車両制御ＥＣＵ６は、自車の加減速制御及び／又は操舵制御を行う電子制御装置である。車両制御ＥＣＵ６としては、操舵制御を行う操舵ＥＣＵ、加減速制御を行うパワーユニット制御ＥＣＵ及びブレーキＥＣＵ等がある。車両制御ＥＣＵ６は、自車に搭載されたアクセルポジションセンサ、ブレーキ踏力センサ、舵角センサ、車輪速センサ等の各センサから出力される検出信号を取得し、電子制御スロットル、ブレーキアクチュエータ、ＥＰＳ（Electric Power Steering）モータ等の各走行制御デバイスへ制御信号を出力する。また、車両制御ＥＣＵ６は、上述の各センサの検出信号を車内ＬＡＮへ出力可能である。
【００１９】
ナビゲーション装置７は、地図データを格納した地図ＤＢを備え、設定される目的地までの時間優先，距離優先等の条件を満たす経路を探索し、その探索した経路に従った経路案内を行う。地図ＤＢは、不揮発性メモリであって、リンクデータ、セグメントデータ、ノードデータ、道路形状等の地図データを格納しているものとすればよい。なお、地図データには、道路形状及び構造物の特徴点の点群からなる三次元地図を含む構成であってもよい。
【００２０】
自動運転ＥＣＵ８は、車両制御ＥＣＵ６を制御することにより、ドライバによる運転操作の代行を行う自動運転機能を実行する。自動運転ＥＣＵ８は、ＡＤＡＳロケータ３から取得する自車の車両位置及び三次元地図の地図データ，周辺監視センサ４でのセンシング情報，ナビゲーション装置７から取得する地図データをもとに、自車の走行環境を認識する。一例としては、周辺監視センサ４でのセンシング情報から、自車周辺の物体の形状及び移動状態を認識したり、自車周辺の路面標示の形状を認識したりする。そして、自車の車両位置及び地図データと組み合わせることで、実際の走行環境を三次元で再現した仮想空間を生成する。
【００２１】
また、自動運転ＥＣＵ８は、認識した走行環境に基づき、自動運転機能によって自車を自動走行させるための走行計画を生成する。走行計画としては、長中期の走行計画と、短期の走行計画とが生成される。長中期の走行計画では、設定された目的地に自車を向かわせるための経路が規定される。長中期の走行計画については、ナビゲーション装置７で探索した経路を用いる構成としてもよい。短期の走行計画では、生成した自車の周囲の仮想空間を用いて、長中期の走行計画に従った走行を実現するための予定走行軌跡が規定される。具体的に、車線追従及び車線変更のための操舵、速度調整のための加減速、並びに衝突回避のための急制動等の実行が、短期の走行計画に基づいて決定される。
【００２２】
ＨＭＩシステム２は、ＨＣＵ（Human Machine Interface Control Unit）２０、操作デバイス２１、及び表示装置２２を備えており、自車のユーザであるドライバからの入力操作を受け付けたり、自車のドライバに向けて情報を提示したりする。操作デバイス２１は、自車のドライバが操作するスイッチ群である。操作デバイス２１は、各種の設定を行うために用いられる。例えば、操作デバイス２１としては、自車のステアリングのスポーク部に設けられたステアリングスイッチ等がある。表示装置２２としては、ヘッドアップディスプレイ（ＨＵＤ）装置２２０を用いる。ここで、図２を用いてＨＵＤ装置２２０について説明を行う。
【００２３】
図２に示すようにＨＵＤ装置２２０は、自車のインストルメントパネル１２に設けられ、表示器２２１、平面ミラー２２２、及び凹面ミラー２２３を有する。ＨＵＤ装置２２０は、ＨＣＵ２０の制御下で画像をフロントウインドシールド１０に投影する。ＨＵＤ装置２２０は、表示器２２１によって形成される表示画像を、平面ミラー２２２及び凹面ミラー２２３といった光学系を通じて、投影部材としてのフロントウインドシールド１０に既定された投影領域に投影する。より詳しくは、表示器２２１に表示される画像（つまり、表示画像）が、平面ミラー２２２で反射された後、凹面ミラー２２３により拡大され、フロントウインドシールド１０に既定された投影領域に投影される。投影領域は、例えば運転席前方に位置するものとする。表示器２２１は、例えばＴＦＴ液晶パネルであって、バックライトからの光を透過させることで、液晶パネルに描画する表示画像の光を出力する。
【００２４】
フロントウインドシールド１０によって車室内側に反射される表示画像の光束は、運転席に着座するドライバによって知覚される。また、透光性ガラスにより形成されるフロントウインドシールド１０を透過してくる、自車の前方に存在する風景としての前景からの光束も、運転席に着座するドライバによって知覚される。これにより、ドライバは、フロントウインドシールド１０の前方にて結像される表示画像の虚像１００を、前景の一部と重ねて視認可能となる。つまり、ＨＵＤ装置２２０は、自車の前景に虚像１００を重畳表示し、所謂ＡＲ（Augmented Reality）表示を実現する。
【００２５】
表示画像としては、重畳表示させる前景中の対象に合わせて位置を変化させる移動属性の画像と、前景にかかわらず位置が定まっている固定属性の画像とがある。移動属性の画像の詳細については後述する。固定属性の画像としては、自車の計器の情報を示す画像，自動運転機能等の自車の機能の設定状態を示す画像，自動運転機能の動作状態を示す画像，走行中の道路の交通標識の内容を示す画像，ドライバのモニタリング状態を示す画像等がある。自車の計器の情報を示す画像としては、車速の値を示す画像等が挙げられる。自動運転機能等の自車の機能の設定状態を示す画像としては、ＡＣＣ（Adaptive Cruise Control）機能等の自動運転機能のオンオフであったり、経路案内機能のオンオフであったりを示すアイコン画像等が挙げられる。自動運転機能の動作状態を示す画像としては、自動運転機能の動作の有無を示すアイコン画像等が挙げられる。走行中の道路の規制情報を示す画像としては、走行中の道路の速度規制標識等の道路標識の内容を示すアイコン画像等が挙げられる。ドライバのモニタリング状態を示す画像としては、ドライバによるステアリングホイールの把持の有無を示すアイコン画像等が挙げられる。なお、固定属性表示は、ここに挙げた一例に限らない。
【００２６】
本実施形態では、平面ミラー２２２及び凹面ミラー２２３といった光学系に対して表示器２２１を傾けることで、ドライバから見て虚像１００の上方が下方よりも遠位側により見え易くなるように虚像１００を自車の前後方向に傾けて表示させる場合を例に挙げて説明を行う。これにより、虚像１００がドライバの近位側に見えるように表示させるための表示器と虚像１００がドライバの遠位側に見えるように表示させるための表示器との２つの表示器を用いなくても、虚像１００が近位側から遠位側にわたって表示されているように見せ易くなる。なお、必ずしもこの構成に限らず、虚像１００を自車の前後方向に傾けずに表示させる構成としてもよい。
【００２７】
本実施形態では、表示器２２１がＴＦＴ液晶パネルである場合を例に挙げて以降の説明を行うが、必ずしもこれに限らない。例えば、表示画像を描画可能であれば、他の方式の表示器であっても構わず、光学系も平面ミラー２２２の代わりに反射型のスクリーンを用いるなど上述したものに限らない。なお、ＨＵＤ装置２２０が表示画像を投影する投影部材は、フロントウインドシールド１０に限らず、透光性コンバイナであっても構わない。また、表示装置２２として、ＨＵＤ装置２２０の他にも、画像を表示する装置を用いる構成としてもよい。一例としては、コンビネーションメータのディスプレイ，ＣＩＤ（Center Information Display）等がある。
【００２８】
ＨＣＵ２０は、プロセッサ、揮発性メモリ、不揮発性メモリ、Ｉ／Ｏ、これらを接続するバスを備えるマイクロコンピュータを主体として構成され、ＨＵＤ装置２２０に接続されている。ＨＣＵ２０は、不揮発性メモリに記憶された制御プログラムを実行することにより、ＨＵＤ装置２２０での表示を制御する。このＨＣＵ２０が車両用表示制御装置に相当する。プロセッサがこの制御プログラムを実行することは、制御プログラムに対応する車両用表示制御方法が実行されることに相当する。ここで言うところのメモリは、コンピュータによって読み取り可能なプログラム及びデータを非一時的に格納する非遷移的実体的記憶媒体（non-transitory tangible storage medium）である。また、非遷移的実体的記憶媒体は、半導体メモリ又は磁気ディスクなどによって実現される。なお、ＨＵＤ装置２２０による表示の制御に関するＨＣＵ２０の構成については以下で詳述する。
【００２９】
＜ＨＣＵ２０の概略構成＞
ここで、図３を用いてＨＣＵ２０の概略構成についての説明を行う。ＨＣＵ２０は、ＨＵＤ装置２２０での表示制御に関して、図３に示すように、情報処理ブロック２００及び表示制御ブロック２１０を機能ブロックとして備える。以下では、便宜上、移動属性の画像及び固定属性の画像のうち、固定属性の画像の表示制御についての説明は省略し、移動属性の画像の表示制御についての説明を行う。なお、ＨＣＵ２０が実行する機能の一部又は全部を、一つ或いは複数のＩＣ等によりハードウェア的に構成してもよい。また、ＨＣＵ２０が備える機能ブロックの一部又は全部は、プロセッサによるソフトウェアの実行とハードウェア部材の組み合わせによって実現されてもよい。
【００３０】
情報処理ブロック２００は、車内ＬＡＮに出力された種々の情報のうちで、表示制御ブロック２１０での表示制御に必要な情報を選択的に取得する。加えて情報処理ブロック２００は、取得した情報を表示制御に適した状態に変換する処理を行う。情報処理ブロック２００は、図３に示すように、決定用情報取得部２０１をサブ機能ブロックとして備える。
【００３１】
決定用情報取得部２０１は、ＨＵＤ装置２２０で表示させる内容を定めるために必要な情報を取得する。言い換えると、ＨＵＤ装置２２０の表示器２２１に描画する画像の内容を定めるための情報（以下、内容決定用情報）を取得する。内容決定用情報の一例としては、ＡＤＡＳロケータ３から出力される車両位置，ナビゲーション装置７で探索する経路，地図ＤＢに格納されている地図データ，自動運転ＥＣＵ８で認識した走行環境，自動運転ＥＣＵ８で生成する走行計画，操作デバイス２１での操作入力情報，自動運転ＥＣＵ８での自動運転機能の設定及び動作情報等がある。
【００３２】
表示制御ブロック２１０は、情報処理ブロック２００で取得する情報をもとに、ＨＵＤ装置２２０での表示に関する制御（つまり、表示制御）を行う。図３に示すように、表示制御ブロック２１０は、描画制御部２１１及び調停部２１７をサブ機能ブロックとして備える。
【００３３】
描画制御部２１１は、ＨＵＤ装置２２０の表示器２２１に描画する画像の画像データを、情報処理ブロック２００で取得する情報に基づいて生成する。描画制御部２１１は、生成する画像データを表示器２２１に出力することで、表示器２２１に移動属性の画像を描画する。描画制御部２１１は、表示画像の内容及び配置の態様を、決定用情報取得部２０１で取得する内容決定用情報に応じて変更する。
【００３４】
描画制御部２１１は、表示項目の種別単位で複数のグループに分類される複数グループの画像を、グループ別にレイヤを分けて１つの表示器２２１に描画する。描画制御部２１１は、図３に示すように、緊急関連部２１２、動的物標関連部２１３、静的物標関連部２１４、路面関連部２１５、及び拡張情報関連部２１６を有し、緊急関連部２１２、動的物標関連部２１３、静的物標関連部２１４、路面関連部２１５、及び拡張情報関連部２１６がそれぞれ異なるグループの画像を描画する。つまり、緊急関連部２１２、動的物標関連部２１３、静的物標関連部２１４、路面関連部２１５、及び拡張情報関連部２１６がそれぞれ異なるレイヤに描画することになる。
【００３５】
ここで、表示項目の種別単位で分類される複数のグループについて図４〜図７を用いて説明を行う。まず、表示項目の種別としては、図４に示すように、大分類として警告系，応答系，情報系に区分される。警告系の表示項目は、ドライバが危険回避のために直近に対応する必要性の高い内容が表示される表示項目である。警告系の表示項目は、さらに緊急性の高さによって、「緊急（Emergency）」、「警告（Warning）」、「注意（Caution）」に細分化して分類される。表示項目「緊急」，「警告」，「注意」は、「緊急」の緊急性が最も高く、続いて「警告」の緊急性が高く、「注意」の緊急性が最も低い。
【００３６】
表示項目「緊急」は、例えばドライバに緊急警告を行って操作を促す表示である。一例としては、衝突被害軽減ブレーキ機能における警告，前方衝突予測警報機能における警告等の危機回避のためのドライバへ運転操作を要求する表示が挙げられる。
【００３７】
表示項目「警告」は、例えば事故の危険性のある情報についてドライバへ警告を行う表示である。一例としては、死角からの他車の割り込み，歩行者の接近等の直近の危険性のある障害物との距離に応じた情報の強調表示が挙げられる。
【００３８】
表示項目「注意」は、例えばドライバに注意を促す表示である。一例としては、ドライバをモニタリングするシステムで検出したドライバが確認を怠った領域等の、ドライバの意識外にあると推定される情報についての注意喚起表示が挙げられる。警告系の表示項目は、例えば危機回避の対象の領域若しくはその近傍に表示させるものとすればよい。
【００３９】
応答系の表示項目は、ドライバの操作に対する反応を伝える表示項目である。応答系の表示項目は、警告系の表示項目よりも緊急性が低い。応答系の表示項目としては、「応答（Response）」がある。表示項目「応答」の一例としては、ＡＣＣ（Adaptive Cruise Control）機能における車間距離設定変更を伝える表示が挙げられる。この場合、車間距離設定変更を伝える表示は、先行車に表示させたり、自車の走行車線に表示させたり、自車と先行車との間の領域に表示させたりすればよい。
【００４０】
通知系の表示項目は、ドライバが危険回避のために直近に対応する必要性の低い内容であったり、危険回避と関係しない内容であったりが表示される表示項目である。通知系の表示項目は、緊急系の表示項目，応答系の表示項目よりも緊急性が低い。通知系の表示項目は、さらに緊急度の高さによって「通知（Notice）」、「情報（Information）」に細分化して分類される。表示項目「情報」は、表示項目「通知」よりも緊急性が低い。
【００４１】
表示項目「通知」は、自車の移動，安全運転に関係はするものの、ドライバが危険回避のために直近に対応する必要性の低い内容の表示であり、例えばドライバに意識を向けさせる通知を行う表示である。表示項目「通知」は、車両前方の空間的な観点によって、「動的物標（Dynamic）」，「静的物標（Static）」，「路面（Road）」にさらに細分化して分類される。
【００４２】
表示項目「動的物標」は、時間変化の大きい表示であって、周辺車両，歩行者等の動的物標についての表示である。一例としては、周辺車両，歩行者等の動的物標の存在を通知する表示としての、動的物標を指し示す表示，動的物標を中心に路面に沿って拡がる波紋状の表示等が挙げられる。また、先行車，自車と先行車との間，自車の走行車線等に表示させる、前方車車間時間を示す情報の表示がある。他にも、歩行者を指し示したり囲ったりする、ナイトビジョンシステムでの歩行者認識結果を示す表示がある。
【００４３】
表示項目「静的物標」は、時間変化の小さい表示であって、標識，路側物，落下物等の静的物標についての表示である。一例としては、静的物標の存在を通知する表示としての、静的物標を指し示す表示，静的物標を囲う表示等が挙げられる。
【００４４】
表示項目「路面」は、時間変化の小さい表示であって、経路，車線等の路面についての表示である。一例としては、ターンバイターン（以下、ＴＢＴ）での自車の走行予定経路を示すための、走行予定経路の路面に沿った線状若しくはシート状の表示が挙げられる。また、自車の走行車線を示すレーンガイダンスのための、走行予定車線の区画線を疑似的に発光させる表示，走行予定車線の形状に沿ってその車線内の範囲を示す線状若しくはシート状の表示が挙げられる。
【００４５】
表示項目「情報」は、ドライバへ情報を与える表示であり、危険回避と直接的に関係しない内容の表示である。一例としては、走行予定経路と無関係な周辺施設の情報，休憩提案等のドライバへの情報提供が挙げられる。この場合、周辺施設の情報をその周辺施設に重畳表示させたり、休憩提案を提案する施設に重畳表示させたりすればよい。
【００４６】
本実施形態では、これらの表示項目を、情報そのものの緊急性に加え、車両前方の空間的な観点も加えて優先度設定し、５つのグループに分けて分類している。５つのグループは、図５に示すように、優先度の高いものから順に、緊急グループ，動的物標グループ，静的物標グループ，路面グループ，拡張情報グループである。
【００４７】
緊急グループは、他のグループと比較して緊急性の高い表示項目の画像のグループである。緊急グループには、警告系の表示項目「緊急」，「応答」，「注意」の画像、及び応答系の表示項目「応答」の画像が分類される。緊急関連部２１２が、緊急グループに分類される画像の描画を担う。緊急関連部２１２は、決定用情報取得部２０１で取得する内容決定用情報をもとに、緊急グループに分類される画像として表示する表示内容を決定する。一例としては、内容決定用情報に、歩行者が警告を要する距離まで接近してきていることを示す情報が含まれる場合に、この歩行者の位置に警告マークの画像（図６のＷａ参照）を表示させる表示内容を決定する等が挙げられる。図６は、前景に重畳表示される画像の一例を示した図であって、Ｖｉが投影領域を示している。緊急関連部２１２は、決定した表示内容の表示の調停を要求する表示要求を調停部２１７に送る。表示要求には、グループの種類，表示内容の対象の位置等の情報を付与すればよい。
【００４８】
動的物標グループは、ドライバが危険回避のために直近に対応する必要性の低い動的物標についての画像のグループである。動的物標グループには、通知系の表示項目「動的物標」の画像が分類される。動的物標関連部２１３が、動的物標グループに分類される画像の描画を行う。動的物標関連部２１３は、決定用情報取得部２０１で取得する内容決定用情報をもとに、動的物標グループに分類される画像として表示する表示内容を決定する。一例としては、内容決定用情報に、警告を要する距離にまでは接近してきていない歩行者等の動的物標の存在を示す情報が含まれる場合に、この歩行者等の動的物標の位置にこの動的物標の存在を示す波紋状の画像（図６のＯｍ参照）を表示させる表示内容を決定する等が挙げられる。動的物標関連部２１３でも、緊急関連部２１２と同様にして表示要求を調停部２１７に送る。
【００４９】
静的物標グループは、ドライバが危険回避のために直近に対応する必要性の低い静的物標についての画像のグループである。静的物標グループには、通知系の表示項目「静的物標」の画像が分類される。静的物標関連部２１４が、静的物標グループに分類される画像の描画を行う。静的物標関連部２１４は、決定用情報取得部２０１で取得する内容決定用情報をもとに、静的物標グループに分類される画像として表示する表示内容を決定する。一例としては、内容決定用情報に、警告を要する距離にまでは接近してきていない落下物等の動的物標の存在を示す情報が含まれる場合に、この落下物等の静的物標の位置にこの静的物標の存在を示す画像（図７のＳｏ参照）を表示させる表示内容を決定する等が挙げられる。静的物標関連部２１４でも、緊急関連部２１２と同様にして表示要求を調停部２１７に送る。
【００５０】
路面グループは、ドライバが危険回避のために直近に対応する必要性の低い路面についての画像のグループである。路面グループには、通知系の表示項目「路面」の画像が分類される。路面関連部２１５が、路面グループに分類される画像の描画を行う。路面関連部２１５は、決定用情報取得部２０１で取得する内容決定用情報をもとに、路面グループに分類される画像として表示する表示内容を決定する。一例としては、内容決定用情報に、自車の走行予定経路の情報が含まれる場合に、走行予定経路の路面に沿ったシート状の画像（図６のＰａ参照）を表示させる表示内容を決定する等が挙げられる。路面関連部２１５でも、緊急関連部２１２と同様にして表示要求を調停部２１７に送る。
【００５１】
動的物標グループ，静的物標グループ，路面グループは、車両前方の空間的な観点から優先度設定がされる。詳しくは、路面グループは、路面が動的物標，静的物標よりも下層に位置するため、動的物標グループ，静的物標グループよりも優先度を低く設定している。また、動的物標グループは、動的指標の位置の時間変化が路面，静的物標よりも大きいので、静的物標グループ，路面グループよりも優先度を高く設定している。
【００５２】
拡張情報グループは、危険回避と直接的に関係しない情報提供についての画像のグループである。拡張情報グループには、通知系の表示項目「情報」の画像が分類される。拡張情報関連部２１６が、拡張情報グループに分類される画像の描画を行う。拡張情報関連部２１６は、決定用情報取得部２０１で取得する内容決定用情報をもとに、拡張情報グループに分類される画像として表示する表示内容を決定する。一例としては、内容決定用情報に、ドライバへの提案の好ましい周辺施設の情報が含まれる場合に、周辺施設の位置に周辺施設の存在を示す画像（図６のＥｉ参照）を表示させる表示内容を決定する等が挙げられる。拡張情報関連部２１６でも、緊急関連部２１２と同様にして表示要求を調停部２１７に送る。
【００５３】
調停部２１７は、描画制御部２１１の緊急関連部２１２，動的物標関連部２１３，静的物標関連部２１４，路面関連部２１５，拡張情報関連部２１６から送られてくる表示要求をもとに、各グループの画像の調停を行い、描画制御部２１１に制御指示を返す。具体的には、表示要求に付与されるグループの種類をもとに、優先度の高い種類のグループの画像の視認性を高める制御指示を描画制御部２１１に返す。
【００５４】
例えば優先度の高いグループほど画像のレイヤの重ね順を上位層にする制御指示を返す構成としてもよいし、優先度の高いグループのレイヤほど画像の透過率を他のレイヤに対して相対的に高くする構成としてもよいし、これらを複合させてもよい。なお、調停部２１７は、優先度の高いグループのレイヤの画像の透過率を上げることで透過率を相対的に高くする構成としてもよいし、優先度の低いグループのレイヤの画像の透過率を下げることで透過率を相対的に高くする構成としてもよい。なお、優先度の低いグループのレイヤの画像の透過率を下げることで優先度の高いグループのレイヤの画像の透過率を相対的に高くすることがより好ましい。
【００５５】
レイヤの重ね順が異なれば各グループの画像がそれぞれ区別し易くなり、各グループの画像の視認性が高まる。レイヤの重ね順が上位層になるグループの画像ほど、前景に重畳表示させた場合により上層側に見えるため、視認性がより高まる。また、画像の透過率が異なれば、見た目の輝度が異なるため、各グループの画像がそれぞれ区別し易くなり、各グループの画像の視認性が高まる。透過率の高い画像ほど、見た目の輝度が高くなるため、視認性がより高まる。なお、画像の透過率を変化させることで各グループの画像の見た目の輝度を変化させるのは、各グループの画像の表示を行うための表示器２２１が共通であってバックライトが共通であり、バックライトの輝度を各グループの画像で区別して切り替えることが困難なためである。
【００５６】
さらに、自車からの距離がより遠い対象に対する画像（以下、遠位対象画像）が、自車からの距離がより近い対象に対する画像（以下、近位対象画像）よりも上層に表示されてしまうことによる表示の違和感を防ぐために、調停部２１７は、以下の調停を行うことが好ましい。調停部２１７は、表示要求に付与されるグループの種類に加え、表示内容の対象の位置をもとに、遠位対象画像のグループが近位対象画像のグループよりも優先度が高い場合には、遠位対象画像のレイヤを近位対象画像のレイヤの重ね順よりも上位層にするのではなく、遠位対象画像の透過率を近位置対象画像に対して相対的に高くすることで視認性を高めればよい。一方、調停部２１７は、近位対象画像のグループが遠位対象画像のグループよりも優先度が高い場合には、近位対象画像のレイヤを遠位対象画像のレイヤの重ね順よりも上位層にすることで視認性を高めればよい。また、調停部２１７は、送られてくる表示要求が複数でない場合には、調停を行わずに、表示許可の制御指示を返す。
【００５７】
そして、描画制御部２１１は、調停部２１７から返される制御指示に従い、緊急関連部２１２、動的物標関連部２１３、静的物標関連部２１４、路面関連部２１５、及び拡張情報関連部２１６での描画を行う。描画制御部２１１は、制御指示によって重ね順が指示される場合には、この重ね順に従った順に各グループのレイヤを重ねて各グループの画像を描画する。また、描画制御部２１１は、制御指示によって透過率が指示される場合には、この透過率に従って各グループのレイヤの画像の透過率を変化させて描画する。これにより、描画制御部２１１は、表示器２２１に画像を描画するレイヤ別にその画像の視認性を異ならせるよう描画することになる。
【００５８】
一例として、描画制御部２１１の動的物標関連部２１３と路面関連部２１５とから調停部２１７に表示要求が送られ、動的物標のグループのレイヤの重ね順を路面グループのレイヤよりも上位層にする制御指示が描画制御部２１１に返される場合には、動的物標のグループのレイヤを路面グループのレイヤよりも上位層に重ねて動的物標のグループの画像と路面グループの画像とが描画されることになる。
【００５９】
また、描画制御部２１１は、各グループのレイヤを重ねて描画する際、各レイヤに描画される画像を合成する合成処理を行う。ここで、図８を用いて合成処理の一例について説明を行う。図８のＨｉが優先度の高いグループの画像（以下、高優先度画像）を示しており、Ｌｏが優先度の低いグループの画像（低優先度画像）を示している。
【００６０】
最も単純な合成処理としては、図８のＡに示す単純な「上書き」がある。単純な「上書き」では、高優先度画像と低優先度画像とで透過率は変化させず、低優先度画像の上層に高優先度画像を重ね合わせて描画する。この場合、高優先度画像と重なる低優先度画像は、高優先度画像によって隠される。
【００６１】
また、「上書き」の変形例として、Ｂの「加算ブレンド」，Ｃの「ふち抜き」，Ｄの「透過率変化」がある。「加算ブレンド」では、高優先度画像と低優先度画像とで透過率は変化させず、低優先度画像の上層に高優先度画像を重ね合わせて描画するとともに、双方が重なる領域では双方のＲＧＢ値を加算して描画する。なお、双方のＲＧＢ値を乗算するとともに２５５で除算して描画する「乗算ブレンド」を用いる構成としてもよい。
【００６２】
「ふち抜き」では、高優先度画像と低優先度画像とで透過率は変化させず、低優先度画像の上層に高優先度画像を重ね合わせて描画するとともに、双方が重なる領域の境界部分にあたる下層の画像を白抜きするなどして除いて描画する。「透過率変化」では、低優先度画像の上層に高優先度画像を重ね合わせて描画するとともに、高優先度画像の透過率を低優先度画像に対して相対的に高くして描画する。この「透過率変化」は、「加算ブレンド」，「乗算ブレンド」，「ふち抜き」等と組み合わせてもよい。
【００６３】
ここでは、低優先度画像の上層に高優先度画像を重ね合わせて描画する場合の例について述べたが、低優先度画像の対象が高優先度画像の対象よりも自車からの距離が近い場合には、高優先度画像の上層に低優先度画像を重ね合わせつつ、高優先度画像の透過率を低優先度画像に対して相対的に高くして描画する構成とすればよい。この場合、前述の「加算ブレンド」若しくは「乗算ブレンド」によって下層の高優先度画像をより把握し易くすることが好ましい。また、描画制御部２１１は、合成処理の無駄を抑えるために、各グループのレイヤを重ねて描画する際、レイヤ別の画像の表示位置が重ならない場合には、合成処理を行わず、各グループのレイヤを重ねて描画することが好ましい。
【００６４】
なお、同じグループに分類される複数の画像を描画する場合には、描画制御部２１１が、新たに表示する画像ほど上層に重ねて描画したり、自車までの距離が近い対象についての画像ほど上層に重ねて描画したりする構成とすればよい。また、描画処理として３Ｄグラフィック描画処理を行う場合には、３Ｄグラフィックの技術として利用されている陰面処理を用いて、特定の視点から見えない部分の画像を消去して描画する構成としてもよい。陰面処理を用いる場合には、アイポイントを特定の視点とし、表示する画像の全画素のうち、例えばＺ−バッファ法（Z buffer algorithm）によってアイポイントから見えない陰面を求めることで、自車のドライバから視認可能な範囲を推定すればよい。
【００６５】
＜ＨＣＵ２０での虚像表示制御関連処理＞
続いて、図９のフローチャートを用いて、ＨＣＵ２０でのＨＵＤ装置２２０での移動属性の画像の表示制御に関連する処理（以下、虚像表示制御関連処理）の流れの一例について説明を行う。図９のフローチャートは、ＨＵＤ装置２２０の電源がオン且つＨＵＤ装置２２０の機能がオンになった場合に開始する構成とすればよい。ＨＵＤ装置２２０の機能のオンオフは、操作デバイス２１で受け付ける入力操作に応じて切り替えられる構成とすればよい。また、ＨＵＤ装置２２０の電源のオンオフは、自車の内燃機関又はモータジェネレータを始動させるためのスイッチ（以下、パワースイッチ）のオンオフに応じて切り替えられる構成とすればよい。
【００６６】
まず、ステップＳ１では、決定用情報取得部２０１が、車内ＬＡＮに出力された種々の情報から、内容決定用情報を選択的に取得する。ステップＳ２では、Ｓ１で取得する内容決定用情報をもとに、緊急関連部２１２、動的物標関連部２１３、静的物標関連部２１４、路面関連部２１５、及び拡張情報関連部２１６の少なくともいずれかが表示要求を調停部２１７に送る場合（Ｓ２でＹＥＳ）には、ステップＳ３に移る。一方、緊急関連部２１２、動的物標関連部２１３、静的物標関連部２１４、路面関連部２１５、及び拡張情報関連部２１６のいずれからも表示要求が調停部２１７に送られない場合（Ｓ２でＮＯ）には、ステップＳ８に移る。
【００６７】
ステップＳ３では、緊急関連部２１２、動的物標関連部２１３、静的物標関連部２１４、路面関連部２１５、及び拡張情報関連部２１６のうちの複数が表示要求を調停部２１７に送る場合（Ｓ３でＹＥＳ）には、ステップＳ４に移る。一方、緊急関連部２１２、動的物標関連部２１３、静的物標関連部２１４、路面関連部２１５、及び拡張情報関連部２１６のうちの１つのみが表示要求を調停部２１７に送る場合（Ｓ３でＹＥＳ）には、ステップＳ６に移る。
【００６８】
ステップＳ４では、調停部２１７が、送られてくる複数の表示要求をもとに、各グループの画像の調停を行い、優先度の高い種類のグループの画像の視認性を高める制御指示を描画制御部２１１に返す。ステップＳ５では、描画制御部２１１が、調停部２１７から返される制御指示に従って、各レイヤに描画される画像を合成する合成処理をして描画を行い、ステップＳ８に移る。
【００６９】
一方、ステップＳ６では、調停部２１７が、送られてくる表示要求を許可する表示許可の制御指示を描画制御部２１１に返す。ステップＳ７では、描画制御部２１１が、調停部２１７から返される表示許可の制御指示に従って、表示要求を行った１つのグループの画像のみの描画を行い、ステップＳ８に移る。
【００７０】
ステップＳ８では、虚像表示制御関連処理の終了タイミングであった場合（Ｓ８でＹＥＳ）には、虚像表示制御関連処理を終了する。一方、虚像表示制御関連処理の終了タイミングでなかった場合（Ｓ８でＮＯ）には、Ｓ１に戻って処理を繰り返す。虚像表示制御関連処理の終了タイミングの一例としては、自車のパワースイッチがオフになった場合，ＨＵＤ装置２２０の機能がオフになった場合等がある。
【００７１】
＜実施形態１のまとめ＞
実施形態１の構成によれば、表示項目の種別単位で複数のグループに分類される、警告グループ、動的物標グループ、静的物標グループ、路面グループ、及び拡張情報グループの画像を、グループ別にレイヤを分けて、レイヤ別にその画像の視認性を異ならせるよう１つの表示器２２１に描画する。よって、表示項目の種類の異なる複数の画像を共通の投影部材へ投影して車両の前景にそれぞれの虚像を複合的に表示させる場合であっても、少なくとも警告グループ、動的物標グループ、静的物標グループ、路面グループ、及び拡張情報グループの画像については、ドライバがそれぞれを区別して認識することが可能になる。特に、動的物標グループ、静的物標グループ、及び路面グループという分類は、車両の前景への重畳表示ならではの、車両の前方空間の観点を加えたグループ分けである。従って、少なくともこれらの車両の前方空間の観点を加えたグループのそれぞれをドライバが区別して認識することが可能になることにより、重畳表示におけるそれぞれの画像の意図する内容をドライバが認識し易くなる。その結果、投影部材へ画像を投影することによって車両の前景に虚像を重畳表示させる際に、表示項目の種類の異なる複数の画像を共通の投影部材へ投影して車両の前景にそれぞれの虚像を複合的に表示させる場合であっても、それぞれの画像の意図する内容がドライバに伝わり難くなることを抑えることが可能になる。
【００７２】
また、実施形態１の構成によれば、グループ別に画像の透過率を異ならせることで画像の視認性を異ならせることが可能であるので、各グループの画像を１つの表示器２２１で描画する場合であっても、それぞれの見た目の輝度を個別に切り替えることが容易に可能となる。
【００７３】
なお、実施形態１では、固定属性の画像の表示制御についての説明は省略したが、固定属性の画像についても、移動属性の画像とレイヤを分けて描画する構成とすればよい。この場合、基本的には固定属性の画像のレイヤを移動属性の画像よりも上位層のレイヤとして描画する構成とすればよい。一方、例外として、ドライバが緊急に対応すべき緊急情報が移動属性の画像に含まれる場合には、この移動属性の画像のレイヤを、固定属性の画像よりも上位層に表示されるレイヤとして描画する構成とすればよい。
【００７４】
（実施形態２）
実施形態１では、緊急グループ，動的物標グループ，静的物標グループ，路面グループ，拡張情報グループの５つのグループ別にレイヤを分けて描画する構成を示したが、必ずしもこれに限らない。例えば、表示項目の種類別にレイヤを分けて描画する構成としてもよい。この場合には、「緊急」，「警告」，「注意」，「応答」，「動的物標」，「静的物標」，「路面」，「情報」といった表示項目の種類別に描画するための表示項目の種類別の機能ブロックを、描画制御部２１１が有する構成とすればよい。この場合、表示項目別の画像の優先度は、高いものから順に、「緊急」，「警告」，「注意」，「応答」，「動的物標」，「静的物標」，「路面」，「情報」となる。また、この場合、表示要求に表示項目の種類を付与する構成とすればよい。
【００７５】
（実施形態３）
実施形態１では、視認性を高める優先度を、動的物標グループ，静的物標グループ，路面グループの順とする構成を示したが、必ずしもこれに限らない。例えば、動的物標グループ，静的物標グループ，路面グループの画像の視認性を異ならせる構成であれば、視認性を高める優先度の順は、動的物標グループ，静的物標グループ，路面グループの順でない構成としてもよい。
【００７６】
（実施形態４）
実施形態１では、自車が自動運転機能を有している場合に適用した例を挙げて説明を行ったが、必ずしもこれに限らない。例えば、自車が自動運転機能を有していない構成であってもよい。この場合には、車両システム１に自動運転ＥＣＵ８を含まず、走行環境の認識は他のＥＣＵで行うなどすればよい。
【００７７】
（実施形態５）
実施形態１では、ＨＵＤ装置２２０での表示の制御に関する機能をＨＵＤ装置２２０とは別体のＨＣＵ２０が担う構成を示したが、必ずしもこれに限らない。例えば、ＨＵＤ装置２２０での表示の制御に関する機能をＨＵＤ装置２２０に設けられる制御回路が担う構成としてもよいし、コンビネーションメータに設けられる制御回路等が担う構成としてもよい。
【００７８】
なお、本開示は、上述した実施形態に限定されるものではなく、請求項に示した範囲で種々の変更が可能であり、異なる実施形態にそれぞれ開示された技術的手段を適宜組み合わせて得られる実施形態についても本開示の技術的範囲に含まれる。
【符号の説明】
【００７９】
１  車両システム、２  ＨＭＩシステム、３  ＡＤＡＳロケータ、４  周辺監視センサ、５  車両状態センサ、６  車両制御ＥＣＵ、７  ナビゲーション装置、８  自動運転ＥＣＵ、１０  フロントウインドシールド（投影部材）、２０  ＨＣＵ（車両用表示制御装置）、１００  虚像、２００  情報処理ブロック、２０１  決定用情報取得部、２１０  表示制御ブロック、２１１  描画制御部、２１２  緊急関連部、２１３  動的物標関連部、２１４  静的物標関連部、２１５  路面関連部、２１６  拡張情報関連部、２１７  調停部、２２０  ＨＵＤ装置（ヘッドアップディスプレイ装置）、２２１  表示器
【図１】
2020001589.tif 000003
【図２】
2020001589.tif 000004
【図３】
2020001589.tif 000005
【図４】
2020001589.tif 000006
【図５】
2020001589.tif 000007
【図６】
2020001589.tif 000008
【図７】
2020001589.tif 000009
【図８】
2020001589.tif 000010
【図９】
2020001589.tif 000011